(57)【要約】【課題】現場での作業性が良好であり、しかも、車両解体の際にも簡単にワイヤハーネスを取り出すことが可能なフロアカーペット用クリップを提供する。【解決手段】フロアカーペット５にある開口及びフロアパネル４にある穴４ａにステム部１５を挿通させて中空ホルダー１１をフロアパネル４に固定した際に、水平突出部１４とフロアパネル４がフロアカーペット５を狭持する。【選択図】図１
2010173475.tif 000002
【特許請求の範囲】
【請求項１】
車両のフロアパネルに敷設されるフロアカーペットを固定するために内部にワイヤハーネスが引き回される中空ホルダーと、
前記フロアカーペットにある開口及び前記フロアパネルにある穴を通るように前記中空ホルダーの下半部から下方に延びるフランジ付きのステム部と、
前記中空ホルダーの下半部に設けられた、前記フロアカーペットを上方から押さえ付けるカーペット押え手段と、
を備え、
前記フロアカーペットにある開口及び前記フロアパネルにある穴に前記ステム部を挿通させて前記中空ホルダーを前記フロアパネルに固定した際に、前記カーペット押さえ手段と前記フロアパネルが前記フロアカーペットを狭持することを特徴とするフロアカーペット用クリップ。
【請求項２】
前記カーペット押え手段は、前記中空ホルダーを前記フロアパネルに固定した際に、前記フロアパネルが形成する平面に対して平行に、前記中空ホルダーから延びる水平突出部によって形成され、
前記水平突出部は、下面で前記フロアカーペットと面接触することを特徴とする請求項１に記載のフロアカーペット用クリップ。
【請求項３】
前記ステム部のフランジは可撓性を有し、該フランジの下面と前記水平突出部の下面との間の前記フロアパネルが形成する平面に対して垂直な方向の距離は、前記フロアカーペットの自由状態の厚さよりも小さいことを特徴とする請求項２に記載のフロアカーペット用クリップ。
【請求項４】
前記水平突出部は、前記ホルダーの長手方向軸心に沿って全長にわたり延びていることを特徴とする請求項２または３に記載のフロアカーペット用クリップ。
【請求項５】
前記中空ホルダーの下半部の一部は、該中空ホルダーが固定された前記フロアパネルに対して垂直に立設しており、前記中空ホルダーを前記フロアパネルに固定した際に、前記フロアカーペットにある開口を画成するカーペットの縁部に接触することを特徴とする請求項１から４のいずれか一項に記載のフロアカーペット用クリップ。
【発明の詳細な説明】
【技術分野】
【０００１】
本発明は、乗用車のような車両のフロアに敷設されるフロアカーペットを固定するためのクリップに関するものである。
【背景技術】
【０００２】
車両のフロアパネル上にはフロアカーペットが敷設されるのが一般的であるが、単にフロアパネルの上面にフロアカーペットを敷設したのでは端がめくれる、あるいはフロアパネル上をフロアカーペットが動いてしまうので、何らかの固定手段を用いてカーペットを固定するようにしている（例えば、特許文献１参照。）。
【先行技術文献】
【特許文献】
【０００３】
【特許文献１】特開２００８−２７９９０７号公報
【発明の概要】
【発明が解決しようとする課題】
【０００４】
ところで、本願発明者の知見によると、そのような固定手段の一例として、ワイヤハーネスを保持するホルダーの上部に突片を設け、それをフロアカーペットの端部に形成された開口に引っ掛けることにより固定するクリップがあった。
【０００５】
その一例は、図７に示す通りであり、ワイヤハーネス（図示せず）が内部を軸方向に引き回される略筒状のホルダー１から構成されている。該ホルダー１は、上方に延びる突片２を上部に有すると共に、下方に延びるステム部３を下部に有している。ホルダー１のステム部３はフロアパネル４に形成された穴に嵌合し、突片２はフロアカーペット５に形成された開口６に係合するようになっている。
【０００６】
しかしながら、敷設前のフロアカーペット５、特にその車両幅方向の端部は必ずしも平坦な状態にはなっていないため、該端部に形成された開口をホルダー１の突片２に確実に引っ掛けることがそれほど容易ではなく、しかも、引っ掛けた後に外れ易いということがあり、現場での作業性に問題があった。
【０００７】
また、車両解体時にホルダー１内のワイヤハーネスを車両から取外し回収する際には、車両の長手方向に離間して配置された幾つかのホルダー１を覆うトリム（内装）を先ず外し、次いでフロアカーペット５をホルダー１から除去してからワイヤハーネスを取り外すという面倒な手順で回収が行われていた。
【０００８】
本発明は、上述した事情に鑑みてなされたものであり、その目的は、現場での作業性が良好であり、しかも、車両解体の際にも簡単にワイヤハーネスを取り出すことが可能なフロアカーペット用クリップを提供することにある。
【課題を解決するための手段】
【０００９】
前述した目的を達成するために、本発明に係るフロアカーペット用クリップは、下記（１）〜（５）を特徴としている。
（１）  車両のフロアパネルに敷設されるフロアカーペットを固定するために内部にワイヤハーネスが引き回される中空ホルダーと、
前記フロアカーペットにある開口及び前記フロアパネルにある穴を通るように前記中空ホルダーの下半部から下方に延びるフランジ付きのステム部と、
前記中空ホルダーの下半部に設けられた、前記フロアカーペットを上方から押さえ付けるカーペット押え手段と、
を備え、
前記フロアカーペットにある開口及び前記フロアパネルにある穴に前記ステム部を挿通させて前記中空ホルダーを前記フロアパネルに固定した際に、前記カーペット押さえ手段と前記フロアパネルが前記フロアカーペットを狭持すること。
（２）  上記（１）の構成のフロアカーペット用クリップであって、
前記カーペット押え手段は、前記中空ホルダーを前記フロアパネルに固定した際に、前記フロアパネルが形成する平面に対して平行に、前記中空ホルダーから延びる水平突出部によって形成され、
前記水平突出部は、下面で前記フロアカーペットと面接触すること。
（３）  上記（２）の構成のフロアカーペット用クリップであって、
前記ステム部のフランジは可撓性を有し、該フランジの下面と前記水平突出部の下面との間の前記フロアパネルが形成する平面に対して垂直な方向の距離は、前記フロアカーペットの自由状態の厚さよりも小さいこと。
（４）  上記（２）または（３）の構成のフロアカーペット用クリップであって、
前記水平突出部は、前記ホルダーの長手方向軸心に沿って全長にわたり延びていること。
（５）  上記（１）から（４）のいずれか一つの構成のフロアカーペット用クリップであって、
前記中空ホルダーの下半部の一部は、該中空ホルダーが固定された前記フロアパネルに対して垂直に立設しており、前記中空ホルダーを前記フロアパネルに固定した際に、前記フロアカーペットにある開口を画成するカーペットの縁部に接触すること。
【００１０】
上記（１）の構成によれば、ホルダーのステム部に設けられたフランジの助成の下に、フロアカーペットをホルダーのカーペット押え手段でフロアパネルに対して上から押え付けて固定するので、フロアカーペットがホルダーから外れ易いということがない。しかも車両の解体時にワイヤハーネスを取り外す際にはフロアカーペットを除去する手順が不要となり、作業性の良いクリップを提供することができる。
上記（２）の構成によれば、前記カーペット押え手段は水平突出部であり、その水平な下面で前記フロアカーペットの端部と面接触するので、フロアカーペットの位置ズレを一層確実に防止することができる。
上記（３）の構成によれば、前記フランジは可撓性であり、前記フロアカーペットの固定前の前記フランジの下面と前記水平突出部の下面との間の垂直方向の距離が特別な値に設計されているので、フロアカーペットの位置ズレを更に一層確実に防止することができる。
上記（４）の構成によれば、フロアカーペットの端部を押える前記水平突出部が前記ホルダーの長手方向軸心に沿って全長にわたり延びているので、フロアカーペットの安定的な保持に大きく寄与することができる。
上記（５）の構成によれば、構造を複雑にすることなくホルダーによる固定前のフロアカーペットを所定位置に保持することができる。これはホルダーによるフロアカーペットの固定作業を容易にする。
【発明の効果】
【００１１】
本発明によれば、ホルダーのステム部に設けられたフランジの助成下に、フロアカーペットをホルダーのカーペット押え手段でフロアパネルに対して上から押え付けて固定するので、フロアカーペットがホルダーから外れ易いということがなく、しかも車両の解体時にワイヤハーネスを取り外す際にはフロアカーペットを除去する手順が不要となる。
【００１２】
以上、本発明について簡潔に説明した。更に、以下に説明される発明を実施するための形態を添付の図面を参照して通読することにより、本発明の詳細は更に明確化されるであろう。
【図面の簡単な説明】
【００１３】
【図１】本発明の好適な実施形態によるフロアカーペット用クリップを示す、使用状態の断面図である。
【図２】図１に示したクリップ単体の斜視図である。
【図３】図２のクリップの横断面図である。
【図４】図３の底面図である。
【図５】図１に示したクリップの使用状態の斜視図である。
【図６】フロアパネルに形成した穴とフロアカーペットに形成した開口の位置関係を示す斜視図である。
【図７】従来のクリップを示す使用状態の断面図である。
【発明を実施するための形態】
【００１４】
以下、本発明に係る好適な実施形態を図面に基づいて詳細に説明する。図１〜図５において、本発明の好適な実施形態によるクリップ１０は、ほぼ筒状の本体部を形成する、筒状形状が上下に分割された上半部１１ａ及び下半部１１ｂから構成される樹脂製ホルダー１１である。該ホルダー１１は、種々の部分を有するが、フロアカーペット５の固定に直接関与していない部分については説明を省略する。
【００１５】
ホルダー１１の上半部１１ａ及び下半部１１ｂは、ヒンジ１１ｃにより互いに結合されており、ヒンジ１１ｃを介して揺動することにより、図示しない開放状態と図１に示す閉止状態とに切り替えることができる。弧状に湾曲した上半部１１ａは、ヒンジ１１ｃを介して結合された部分とは反対側のその端部に、閉止状態にある下半部１１ｂに向けて垂直下方に延びる延長部１２を有しており、該延長部１２の下端外側には爪状の突起１２ａ（図３参照）が形成されている。
【００１６】
同様に弧状に湾曲した下半部１１ｂには、上半部１１ａに対する上述の閉止状態において延長部１２を受け入れうる位置に、上端が開放したほぼ縦コ字状もしくはＵ字状の受容部１３が設けられている。該受容部１３の内部には、上半部１１ａの爪状の突起１２ａに組み合う爪状の突起１３ａが設けられている。上半部１１ａを下半部１１ｂに向かって押し込むと、上半部１１ａの延長部１２が下半部１１ｂの受容部１３に入って延長部１２の突起１２ａが受容部１３の突起１３ａの下方に入って互いに組み合い、ホルダー１１の組立てが完了する。上半部１１ａから垂直下方に延びる延長部１２と下半部１１ｂに設けられた受容部１３とは上半部１１ａ及び下半部１１ｂの嵌合手段を構成する。
【００１７】
また、ホルダー１１の下半部１１ｂにある上述の受容部１３を構成する側壁１３ｂ，１３ｃ及び底壁１３ｄのうち、ホルダー１１の長手方向軸心に関して外側にある側壁１３ｃの外面はフロアパネル４に関して垂直に立ち上がっており、底壁１３ｄの下面はフロアパネル４に沿って平行に延びている。従って、上半部１１ａの延長部１２のための受容部１３は下半部１１ｂの嵌合手段となるだけでなく、フロアパネル４によって形成される平面と同一方向へのフロアカーペット５の位置ズレを規制する手段ともなる。
【００１８】
更に、下半部１１ｂは、この受容部１３とは反対側にフロアカーペット５の押え手段を構成する水平突出部１４を備えている。該水平突出部１４の下面１４ａは、フロアカーペット５が敷設されるフロアパネル４と平行に延びるように水平に形成されている。この水平突出部１４は、ホルダー１１の長手方向軸心に沿って全長にわたり延びていることがフロアカーペット５の安定的な保持のために好ましい。
【００１９】
更に、ホルダー１１の下半部１１ｂは、その最下部から下方に延びる長円形横断面のステム部１５を備えている。該ステム部１５は、下半部１１ｂの底部に近い位置に若干の可撓性を有するフランジ１５ａを有すると共に、該フランジ１５ａの直下にある対のバヨネットピン１５ｂを有している。フロアパネル４には該ステム部１５を受け入れる長円形の開口が形成されている。フランジ１５ａの下面と水平突出部１４の下面１４ａとの間の垂直方向の距離は、ホルダー１１によるフロアカーペット５の固定状態において、水平突出部１４の下面１４ａがフロアカーペット５の端部を若干圧縮状態で押え付けられるように選択されていることが好ましい。
【００２０】
バヨネットピン１５ｂの上端（クリップ１０がフロアパネル４に固定された際の該フロアパネル４に接触する端部）とフランジ１５ａの下面とは垂直方向に離間しており、その離間距離はフロアパネル４の厚さにほぼ相当している。ホルダー１１によるフロアカーペット５の固定状態においては、バヨネットピン１５ｂがフロアパネル４の下方に入り込むことにより、ホルダー１１はフロアパネル４に保持される。
【００２１】
次に、フロアパネル４へのホルダー１１の搭載過程について説明する。先ず、図６に示すようにフロアカーペット５にある開口５ａをフロアパネル４にある長円形の穴４ａに位置合わせしてから、ワイヤハーネスを組み付けた状態の該ホルダー１１のステム部１５をフロアパネル４の穴４ａに半挿入状態で嵌合する。その際、ホルダー１１の下半部１１ｂにある受容部１３の側壁１３ｃの垂直面がフロアカーペット５の開口５ａを画成する縁部に当たると共に、ホルダー１１のステム部１５がフロアパネル４の穴４ａに嵌合する。
【００２２】
この結果、本発明の実施の形態のクリップによれば、受容部１３の側壁１３ｃによりフロアカーペット５のフロアパネル４と平行な方向への移動が規制され、フロアカーペット５の位置ズレが防止される。また、ホルダー１１の下半部１１ｂにある水平突出部１４の下面１４ａがフロアカーペット５の上面を押え付けることにより、従来のようなカーペットのクリップからの浮き上がりを防止することができる。
【００２３】
さらに、ホルダー１１のステム部１５がフロアパネル４の穴４ａに全挿入状態で嵌合することにより、ステム部１５に設けられたフランジ部１５ａがフロアパネル４の上面を押え付けると共に、ホルダー１１の下半部１１ｂにある水平突出部１４の下面１４ａがフロアカーペット５の上面を押え付けることにより反発力が発生し、ホルダー１１はフロアパネル４に強固に固定される。しかも、水平突出部１４の下面１４ａがフロアカーペット５の端部と面接触するので、フロアカーペット５の位置ズレは更に確実に防止される。
【００２４】
また、本発明の実施の形態のクリップによれば、フロアカーペット５の上方にワイヤハーネスを保持するクリップが位置するため、車両解体時にワイヤハーネスを取り出す際に、フロアカーペット５を取り外す必要がなくなり、車両解体時のフロアカーペットの取り外しに伴う手間を省くことができる。このように車両解体に伴う手間が軽減されることは、ワイヤハーネスのリサイクルの促進に寄与する。
【００２５】
また、クリップの上半部にフロアカーペットが乗り上げた状態で該フロアカーペットを固定する構成と比較すると、本発明の実施の形態のクリップ１０にはフロアカーペット５が乗り上げない分、フロアカーペット５のサイズを小さくすることができる。
【００２６】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００２７】
４      フロアパネル
４ａ    フロアパネルにある穴
５      フロアカーペット
５ａ    フロアカーペットにある開口
１０    クリップ
１１    ホルダー
１１ａ  上半部
１１ｂ  下半部
１１ｃ  ヒンジ
１２    延長部
１２ａ  爪状の突起
１３    受容部
１３ａ  爪状の突起
１３ｃ  受容部の側壁
１３ｄ  受容部の底壁
１４    水平突出部
１４ａ  水平な下面
１５    ステム部
１５ａ  フランジ
【図１】
2010173475.tif 000003
【図２】
2010173475.tif 000004
【図３】
2010173475.tif 000005
【図４】
2010173475.tif 000006
【図５】
2010173475.tif 000007
【図６】
2010173475.tif 000008
【図７】
2010173475.tif 000009